(57)【特許請求の範囲】
【請求項１】
符号分割多元接続（ＣＤＭＡ）システムにおける、複数の送信機グループ、衛星、及び複数の宛て先受信機を有するベントパイプ衛星通信システムにおいて通信リンクを形成する方法であって、
複数の送信機グループの各々は衛星のアップリンク通信ビームの割り当てに応じて定義され、各送信機グループは互いに同じ周波数及び偏波リソースを使用し、各送信機は前記送信機グループのいずれか１つに割り当てられており、各送信機グループに割り当てられている下位拡散符号を有する所定の符号セット及び関連するあて先受信機は、隣接する送信機グループの間でそれぞれが互いに異なり、
該方法が、
第１の送信機グループに関連する第１の送信機により、前記第１の送信機グループに割り当てされている第１の所定の符号セットの下位拡散符号を使用して、通信信号を符号化するステップ、
前記第１の送信機から前記符号化された通信信号を衛星へ送信するステップ、
衛星において、前記第１の所定の符号セットと同じ符号セットが割り当てられた別の送信機からの符号化された通信信号と、前記第１の送信機からの符号化された通信信号を集約させるステップ、
衛星において、前記集約された通信信号をデスプレッディングするステップ、
衛星において、前記第１の所定の符号セットと異なる第２の所定の符号セットを使用して、前記デスプレッディングされた通信信号を再スプレッディングするステップ、そして、
衛星において、前記再スプレッディングされた信号は、他の送信機グループの再スプレッディングされた信号と結合され、衛星から関連する宛て先受信機へ前記結合された通信信号をダウンリンクするステップを含むことを特徴とする方法。
【請求項２】
請求項１に記載の方法において、前記デスプレッディングするステップが通信信号を部分デスプレッディングし、前記再スプレッディングするステップが前記通信信号を部分再スプレッディングする方法。
【請求項３】
請求項２に記載の方法において、前記部分デスプレッディングするステップが通信信号をバルク部分デスプレッディングし、通信信号をバルク部分再スプレッディングする方法。
【請求項４】
請求項１に記載の方法において、前記デスプレッディングするステップが通信信号を完全デスプレッディングし、前記再スプレッディングするステップが通信信号を完全再スプレッディングする方法。
【請求項５】
請求項４に記載の方法において、前記通信信号を完全デスプレッディングするステップが、前記通信信号をバルク完全デスプレッディングし、通信信号をバルク完全再スプレッディングする方法。
【請求項６】
請求項１に記載の方法において、前記第２の所定の符号セットが前記第１の所定の符号セットと同じである方法。
【請求項７】
請求項１に記載の方法において、さらに前記デスプレッディングするステップの後に、通信信号から、前記第１の送信機グループに隣接する送信機グループの符号セットで符号化されている信号を除去するステップを含む方法。
【請求項８】
請求項７に記載の方法において、前記除去するステップが、通信信号をフィルタリングするステップを含む方法。
【請求項９】
請求項１に記載の方法において、送信機グループの通信信号をそれぞれに関連する宛先受信機に伝送するステップを含む方法。
【請求項１０】
請求項１に記載の方法において、送信機グループの通信信号を共通の宛先受信機に伝送するステップを含む方法。
【請求項１１】
請求項１に記載の方法において、送信機グループ中の送信機の数が各符号セット中の下位拡散符号の数と等しい方法。
【請求項１２】
符号分割多元接続（ＣＤＭＡ）システムにおける、複数の送信機グループ、衛星、及び複数の宛て先受信機を有するベントパイプ衛星通信システムであって、
複数の送信機グループの各々は衛星のアップリンク通信ビームの割り当てに応じて定義され、各送信機グループは互いに同じ周波数及び偏波リソースを使用し、各送信機は前記送信機グループのいずれか１つに割り当てられており、各送信機グループに割り当てられている下位拡散符号を有する所定の符号セット及び関連するあて先受信機は、隣接する送信機グループの間でそれぞれが互いに異なり、
該衛星通信システムが、
第１の送信機グループに関連する第１の送信機により、前記第１の送信機グループに割り当てされている第１の所定の符号セットの下位拡散符号を使用して、通信信号が符号化され、
前記第１の送信機から前記符号化された通信信号が衛星へ送信され、
衛星において、前記第１の所定の符号セットと同じ符号セットが割り当てられた別の送信機からの符号化された通信信号が、前記第１の送信機からの符号化された通信信号と集約され、
衛星において、前記集約された通信信号がデスプレッディングされ、
衛星において、前記第１の所定の符号セットと異なる第２の所定の符号セットを使用して、前記デスプレッディングされた通信信号が再スプレッディングされ、そして、
衛星から、前記再スプレッディングされた信号は、他の送信機グループの再スプレッディングされた信号と結合され、衛星から関連する宛て先受信機へ前記結合された通信信号がダウンリンクされることを特徴とする衛星通信システム。
【請求項１３】
請求項１２に記載の衛星通信システムにおいて、前記衛星において、通信信号が部分デスプレッディングされ、そして部分再スプレッディングされることを特徴とする衛星通信システム。
【請求項１４】
請求項１３に記載の衛星通信システムにおいて、前記衛星において、通信信号がバルク部分デスプレッディングされ、そしてバルク部分再スプレッディングされることを特徴とする衛星通信システム。
【請求項１５】
請求項１２に記載の衛星通信システムにおいて、前記衛星において、通信信号が完全デスプレッディングされ、そして完全再スプレッディングされることを特徴とする衛星通信システム。
【請求項１６】
請求項１５に記載の衛星通信システムにおいて、前記衛星において、通信信号がバルク完全デスプレッディングされ、そしてバルク完全再スプレッディングされることを特徴とする衛星通信システム。
【請求項１７】
請求項１２に記載の衛星通信システムにおいて、前記第２の所定符号セットが前記第１の所定符号セットと同一であることを特徴とする衛星通信システム。
【請求項１８】
請求項１２に記載の衛星通信システムにおいて、衛星が前記デスプレッディングされた通信信号から前記第１の送信機グループに隣接する送信機グループの符号セットで符号化されている信号をフィルタリングすることを特徴とする衛星通信システム。
【請求項１９】
請求項１２に記載の衛星通信システムにおいて、送信機グループ中の送信機の数が、各符号セット中の下位拡散符号の数と等しい衛星通信システム。
【発明の詳細な説明】
【０００１】
【発明の属する技術分野】
本発明は、電気通信の分野に関する。より詳細には、本発明は、ベントパイプ衛星通信システムにおける多重アップリンク・ビーム結合によって発生するビーム間干渉とマルチパス・フェージングを除去する方法およびシステムに関する。
【０００２】
【従来の技術、及び、発明が解決しようとする課題】
＜関連出願の相互参照＞
本出願は、本出願の共存出願であり、引用によって本出願の記載に援用する、Ｍａｔｔｈｅｗ  Ｊ．Ｓｈｅｒｍａｎによる「ベントパイプ衛星通信システムにおけるマルチパス・フェージングを低減する方法およびシステム」と題された、１９９７年１０月１７日出願の出願番号第０８／９５３０２０号に関連する。
【０００３】
４つの空間的に隣接するアップリンク・ビームを結合し、各ビームがビーム分離のためにスペクトル拡散技術を使用するベントパイプ衛星通信システムにおいて、２つかそれ以上の隣接するアップリンク・ビームが衛星上で、地上ゲートウェイ通信システム用地上局といった同じ宛先地上局受信機にルーティングされる場合、マルチパス・フェージングが発生することがある。特定のアップリンク・ビームと共に使用されるスペクトル拡散符号セットは隣接するアップリンク・ビームで使用される符号セットと異なっているが、１つのビームの周縁部から送信されたアップリンク信号は隣接するビームと同等に結合する。アップリンク信号を伝える２つの隣接するビームが同じゲートウェイ受信機にルーティングされる場合、同じ信号が２つの隣接するビーム上で有効に伝送され、ゲートウェイ受信機で受信される前に結合するためマルチパス条件が存在することがある。すなわち、２つの隣接するアップリンク・ビームのトランスポンダのＲＦ整相が変化するため、２つのＲＦ経路間の相殺的干渉が発生し、その結果ゲートウェイ受信機で信号電力の大きな損失が生じることがある。事実上、ゲートウェイ受信機は、隣接するアップリンク・ビーム間のアップリンク信号の相互結合によって、２つの異なった信号源から同じ信号を受信する。さらに、同じ符号セットを利用する他のビームの送信機によって第２層干渉が導入されることがある。
【０００４】
図１は、２つの隣接するアップリンク・ビームに結合されたアップリンク・ビーム信号と第２層干渉によって発生するマルチパス・フェージングを示す多重ビームベントパイプ衛星通信システム１０の例を示す。衛星通信システム１０は、周知の方法でアップリンク・ビーム１２、１３、１７および１８を分離し、その各々がアップリンク周波数Ｆ１を受け入れる、例えば、同期ウォルシュ・コードに基づいた４つのスペクトル拡散符号セットを使用する。例示としての符号セットは、ここではＷ１〜Ｗ４と呼ばれる。地上局１１はアップリンク・ビーム１２を使用してアップリンク通信信号を送信する。ビーム１２の対象となる地理的範囲内には地上局１１だけが図示されているが、ビーム１２の対象となる地理的範囲内には多数の地上局が存在しているが、図示されていない。地上局１１は地理的にビーム１２の周縁部に配置されているので、送信信号は隣接するアップリンク・ビーム１３にも結合する。ビーム１２および１３は衛星１４で受信され、互いに（かつビーム１７および１８と）結合されて、ダウンリンク・ビーム１５を通じて地上ゲートウェイのような共通地上局受信機１６に伝送される。システム１０には、複数のゲートウェイ受信機局が含まれるが、そのうちゲートウェイ受信機１６だけが図示されている。地上局１１からの信号が２つの異なった経路から（有効に）受信され、ゲートウェイ受信機１６によって受信される前に場合によっては相殺的に結合されるためゲートウェイ受信機１６でマルチパス・フェージングが発生する。ビーム１２と同じ符号セット（そして場合によっては地上局１１と同じ符号）を利用する他のビーム、例えば、ビーム１９が、ビーム１３および１８といったビーム１２と隣接するビームと結合し、衛星によって結合されゲートウェイ受信機１６によって受信される場合第２層干渉を発生する。
【０００５】
図２および図３は、それぞれ衛星通信システムで使用される４つを繰り返し使用する従来のアップリンク・ビームをタイルのように並べたパターンを示す。図２および図３で示される各六角形は対応するアップリンク・ビームの対象になる異なった地理的領域を表す。六角形の中の数字は地理的領域のグループ間の（周波数、偏波または符号セット）といったリソースの分割を表す。１と表示された地理的領域内のすべてのユーザは、領域２、３および４のユーザと異なった同じリソースを使用する。各領域２、３および４について同様のことが言える。図２および図３に示されたパターンは代表的なものであり、領域３、７、８等のグループ間でリソースを共有する他のタイル・パターンも存在する。これらの図の輪郭を描いた範囲には、ここで「ビーム・グループ」と呼ばれる六角形のグループ分けも示される。ビーム・グループの各番号にリソースの異なったセットが割当てられる。ビーム・グループを何回も複製することによって、完全なタイル・パターンが生成される。本発明にとって必要ではないが、この例では、各ビーム・グループは異なったゲートウェイ受信機のサービスを受けると想定されている。例えば、１９９７年１０月１７日出願の出願第０８／９５３０２０号を参照されたい。
【０００６】
図４は、４つの異なったアップリンク周波数グループＦ１、Ｆ２、Ｆ３およびＦ４を利用する従来の周波数分割多元接続（ＦＤＭＡ）によるシステムに適用された図２のタイル・パターンを示す。ここでも輪郭を描いた区分はビーム・グループを示す。図５は、アップリンク周波数グループＦ１およびＦ２と２つの偏波Ｐ１およびＰ２の異なった組み合わせを利用するＦＤＭＡシステムに適用された図２のタイル・パターンを示す。図６は、符号分割多元接続（ＣＤＭＡ）によるシステムの従来のアップリンク・ビーム周波数タイル・パターンを示す。このシステムの場合異なったビーム内のユーザ間の隔離は、ビーム間の符号セットの適切な割当てによって提供される。図７は、ビーム間の隔離のために符号セットＷ１〜Ｗ４を利用する代表的なＣＤＭＡによるシステムの符号に適用された図２のタイル・パターンを示す。
【０００７】
図２〜図７のタイル・パターンの各々は、２つの隣接するアップリンク・ビームが同じ地上ゲートウェイ受信機にダウンリンク・ルーティングされる場合発生するマルチパス・フェージングという欠点を有する。また、それらは同じリソースを使用する望ましいビームから２回除去され、隣接するビームを介して結合される信号の導入を通じた第２層干渉という欠点も有している。（１９９７年１０月１７日出願の出願第０８／９５３０２０号で説明され、図８に示されるような）より高度なタイル・スキームでも、この「第２層」干渉はやはり存在するが、厳密には第２層ビームに由来するものとは言えない。ＦＤＭＡシステムでは、このマルチパス条件と干渉は、衛星に搭載された適切なフィルタリングの適用によって容易に改善される。しかし、隣接するビームが同じ周波数と偏波を使用するＣＤＭＡシステムの場合、ＦＤＭＡシステムで適用されたフィルタリング技術は使用できない。従って、必要とされるのは、同じ周波数と偏波を利用する隣接するアップリンク・ビームに結合され、同じ地上ゲートウェイ受信機にダウンリンク・ルーティングされるか、または他の信号が同じ符号セットを使用する他の地上ゲートウェイ受信機にルーティングされるアップリンク伝送によって発生するマルチパス・フェージングと干渉効果を除去する方法およびシステムである。
【０００８】
【課題を解決するための手段】
本発明は、隣接するアップリンク・ビームに結合され、それ自体のコピーまたは同じ符号セットを使用する他のビームからの信号と結合され、同じ地上ゲートウェイ受信機にダウンリンク・ルーティングされるアップリンク伝送によって発生するマルチパス・フェージングと干渉効果を除去する方法およびシステムを提供する。本発明の利点は衛星通信システムにおける通信リンクを処理する方法およびシステムによって提供される。衛星通信システムには複数の送信機グループ（ＴＧ）、衛星および複数の宛先受信機が含まれる。送信機グループは衛星アップリンク通信ビームの割当てによって決定される。ＴＧのすべての成員が同じビームに割当てられる。各ＴＧには異なったビームと対応するアップリンク・リソースが割当てられる。各送信機は通信信号を送信し、１つの送信機グループにだけ関連する。それぞれの通信信号の各々は、送信機グループの送信機に関連する所定の符号セットから選択された符号分割多元接続（ＣＤＭＡ）信号である。それぞれの符号セットの各々は、選択された送信機グループの送信機に関連する他の符号セットと異なっており、各ビーム・グループについて反復される繰り返し使用パターンを形成する。衛星は通信信号を受信し、同じ所定の符号セットを有する受信された通信信号をすべて１つのビームに集約する。受信された通信信号のグループ内の選択されたアップリンク通信信号の符号セットは他の符号セットに変換され（もとの符号セットに変換して戻される可能性が含まれる）、他のビームからの信号と結合されるので、通信信号のグループには各々異なった符号を有する通信信号が含まれる。変換処理の際、各信号はフィルタリングされ、他のビームからの望ましくないマルチパスと干渉を除去する。衛星上での処理を単純化するためバルク変換とフィルタリングが行われる。その後衛星は各グループの通信信号を異なった宛先受信機に送信する。
【０００９】
【発明の実施の形態】
本発明は、アップリンク信号が他の干渉信号と共に２つの空間的に隣接するアップリンク・ビームに結合され、それが同じ宛先受信機にダウンリンク・ルーティングされる場合ベントパイプ衛星通信システムに発生するマルチパス・フェージングとビーム間干渉を除去する。隣接するビームの結合によって発生する効果を除去するために、本発明は、発生しうるマルチパスと同じ符号セットの干渉が宛先受信機にダウンリンクされる前に確実に除去される方法と装置を提供する。すなわち、衛星から受信された通信信号は、マルチパスと干渉効果を確実に除去するよう十分にデスプレッディングされ（ただし復調されるのではない）十分にフィルタリングされる。通信信号は（おそらくアップリンク伝送で使用されたのと異なった符号セットで）再スプレッディングされ、（干渉を避けるため他のダウンリンク符号セットを使用して）他のビームで受信された伝送と結合された後、宛先受信機にダウンリンクされる。この方法で、衛星通信システムの効率と性能が劇的に改善される。
【００１０】
図７および図８は、本発明と共に使用されるＣＤＭＡによるシステムのビーム・タイル・パターンの例示としての実施形態を示す。図１および図８を参照すると、４つの異なった符号セットＷ１〜Ｗ４が利用され、隣接するアップリンク・ビーム１２および１３を周知の方法で分離する。
【００１１】
図９は、本発明と共に使用され、ＣＤＭＡ信号のバルク部分デスプレッディングとフィルタリングの実現を可能にする符号化技術の例を示す。図９では、各ビームがビーム中のすべての信号に共通な異なった下位拡散符号を使用しているため、４つの同期直交ウォルシュ・コードＷ１１、Ｗ１２、Ｗ２１およびＷ２２が使用され、各ビーム・グループで使用される４つの別個の符号セットを「下位拡散」する。下位拡散符号は「ビーム」符号とも呼ばれる。平方剰余符号のような周知の直交符号やゴールド符号のような非直交符号も使用される。非同期システムでは、循環けた送り符号に基づいた符号化スキームが使用される。これらの「下位拡散」符号が、個々の送信地上局によって使用されるより長いスペクトル拡散符号の構成要素として使用される。下位拡散符号と共に（すでに言及したような）様々な符号化技術を使用することによって伝送符号が形成される。下位拡散符号は、信号操作を使用するビーム中のすべての信号のバルク部分デスプレッディングを可能にする。デスプレッディングが行われるので、他の隣接するビームからの信号は除去されるか、帯域通過フィルタリング（ＲＦまたはＩＦ）によって帯域応答の範囲外になる。その後、信号は同じかまたは異なった下位拡散符号を使用する元の帯域幅に再スプレッディングされる。その後信号は、干渉を避けるため異なったダウンリンク符号を使用して他のビームからの信号と結合され、共通地上ゲートウェイ受信機にダウンリンクされる。本発明の１つの実施形態では、ビーム中で受信された個々の信号の各々はＲＦまたはＩＦでビーム中の信号に対して動作する一群の信号プロセッサによって完全にデスプレッディング、フィルタリングおよび再スプレッディングされる。重要な点は他のビームからの干渉とマルチパスが、共通地上ゲートウェイ受信機にダウンリンク伝送されるために他のビームからの信号と結合される前のスペクトル拡散信号において除去されることである。
【００１２】
図１０は、４つのアップリンク・ビーム符号セット（ＷＶ、ＷＸ、ＷＹおよびＷＺ）を使用する衛星通信システムの一部である衛星１０００の一部分の略ブロック図を示す。同じ符号セットから受信されたアップリンク・ビーム信号はすべてそれぞれ周知の方法で１つに集約される。本発明によれば、各符号セットＷＶ、ＷＸ、ＷＹおよびＷＺは、下位拡散が使用される場合１つの符号であることもあり、別個の符号であることもある。アップリンク・ビーム搬送波信号の各グループはそれぞれ第１帯域通過フィルタ１００１ａ〜１００１ｄを通過した後それぞれ低雑音増幅器ＬＮＡ１００２ａ〜１００２ｄによって増幅される。低雑音増幅の後、それぞれのアップリンク・ビーム信号の各々は混合器１００３ａ〜１００３ｄで第１ローカル発振器ＬＯ１を使用する４つの別個のＩＦ信号にダウンコンバートされる。その後４つのＩＦ信号は、それぞれ混合器１００５ａ〜１００５ｄによってデスプレッディングされる前に、第２帯域通過フィルタ１００４ａ〜１００４ｄを通過する。デスプレッディングされたＩＦ信号は、ＩＦ結合器１００８に入力されて単一のＩＦ信号を形成する前にそれぞれ帯域通過フィルタ（ＢＰＦ）１００６ａ〜１００６ｄで帯域通過フィルタリングされ、混合器１００７ａ〜１００７ｄで異なった符号セット（Ｗ１、Ｗ２、Ｗ３およびＷ４）を使用して再スプレッディングされる。ＩＦ結合器１００８は標準４：１ＩＦ結合器である。ＩＦ結合器１００８からのＩＦ信号出力は混合器１００９で、第２ローカル発振器ＬＯ２を使用する選択された無線周波数にアップコンバートされる。ＲＦ信号はその後、地上ゲートウェイにダウンリンク伝送するため電力増幅器ＰＡ１０１１によって増幅される前に第４帯域通過フィルタ１０１０を通過する。
【００１３】
また、１０１２として示される、混合器１００３ａ〜１００３ｄおよびＢＰＦ１００４ａ〜１００４ｄによって行われるダウンコンバートとフィルタリングは省略されることがあり、その場合バルク・デスプレッディングと再スプレッディングは無線周波数で発生する。従って、帯域通過フィルタ１００６ａ〜１００６ｄの中心周波数はそれぞれのアップリンク伝送信号の各々の中心周波数であり、ＩＦ結合器１００８は標準４：１ＲＦ結合器によって代用され、ローカル発振器ＬＯ２はＲＦ結合器からのＲＦ信号出力を周知の方法で適切なダウンリンク周波数に変換する。
【００１４】
図１０に示す各符号セットＷＶ、ＷＸ、ＷＹおよびＷＺは各下位拡散符号がしかるべくデスプレッディングされる符号のセットである。図１１はデスプレッディング／再スプレッディング・ブロック１０１３の代用となる下位デスプレッディング／下位再スプレッディング回路の略ブロック図である。図１１の回路は１０１３として示されるデスプレッディング／再スプレッディング機能ブロックだけを置換するが、図１１の回路と同様の回路が各符号セットＷＶ〜ＷＺに対して使用される。
【００１５】
図１１では、ＢＰＦ２から出力されたＩＦ信号が複数の混合器１１０１ａ〜１１０１ｎによって下位デスプレッディングされるが、ここでｎは下位拡散符号を形成する符号の数である。各下位デスプレッディング信号はそれぞれ帯域通過フィルタＢＰＦ１１０２ａ〜１１０２ｎによって帯域通過フィルタリングされ、混合器１１０３ａ〜１１０３ｎによってそれぞれ下位再スプレッディングされる。混合器１１０３ａ〜１１０３ｎの出力は標準ｎ：１ＩＦ結合器によって結合され、ＩＦ結合器１００８に入力される単一のＩＦを形成する（図１０）。
【００１６】
図１０で１０１２として示されるダウンコンバートとフィルタリング処理が使用されない場合、図１１で示される下位デスプレッディングおよび下位再スプレッディング機能が無線周波数で発生し、その結果、ＩＦ結合器は標準ｎ：１ＲＦ結合器によって代用される。
【００１７】
無線処理を容易にするために、４つの別個のビーム符号セットが使用されているため４つのグループのアップリンク・ビーム信号の形成が図１０で示されるが、形成されたグループの数が衛星通信システムで使用される別個のビーム符号セットの数と等しい限り何らかの数のグループが形成される。本発明におけるこのアプローチの利点は、同じ符号セットを使用する受信されたアップリング・ビームはすべて、定義によって、同じ符号セットを使用する他のアップリンク・ビームに対して少なくとも第２層になければならないことである。すなわち、このアプローチを使用することによってマルチパスおよび／またはビーム間干渉状況は所定の宛先受信機には実質上存在しなくなる。
【００１８】
本発明は、例示としての直交符号化スキームを使用して説明されたが、本発明は、衛星で受信された２つの隣接するビームが同じ宛先受信機に送信されるすべての衛星通信システムに同様に適用される。さらに、本発明の真の精神と範囲から逸脱することなく修正がなされることを理解されたい。
【図面の簡単な説明】
【図１】  本発明が、２つかそれ以上の隣接するアップリンク・ビームが同じ地上ゲートウェイ受信機にダウンリンク・ルーティングされる場合発生するマルチパス・フェージングと第２層干渉を除去する、例示としてのベントパイプ衛星通信システムを示す図である。
【図２】  地上および衛星通信システムで使用される従来のアップリンク・ビーム・タイル・パターンを示す図である。
【図３】  地上および衛星通信システムによって使用される従来の別のアップリンク・ビーム・タイル・パターンを示す図である。
【図４】  ４つの異なったアップリンク周波数Ｆ１〜Ｆ４を利用する周波数分割多元接続（ＦＤＭＡ）によるシステムの従来のアップリング・ビーム・タイル・パターンを示す図である。
【図５】  アップリンク周波数Ｆ１およびＦ２と２つの偏波Ｐ１およびＰ２の異なった組み合わせを利用するＦＤＭＡによるシステムの従来のアップリンク・ビーム・タイル・パターンを示す図である。
【図６】  符号分割多元接続（ＣＤＭＡ）によるシステムの従来のアップリンク・ビーム周波数タイル・パターンを示す図である。
【図７】  下位拡散用にウォルシュ関数Ｗ１〜Ｗ４を利用するＣＤＭＡによるシステムのアップリンク符号セットタイル・パターンを示す図である。
【図８】  １９９７年１０月１７日出願の出願第０８／９５３０２０号で説明された本発明によるＣＤＭＡによるシステムのアップリンク／ゲートウェイ・タイル・パターンの例示としての実施形態を示す図である。
【図９】  本発明によるＣＤＭＡ信号のバルク処理を促進する符号化技術の例を示す図である。
【図１０】  本発明による衛星通信システムの一部である衛星の一部分の略ブロック図を示す図である。
【図１１】  図１０の略ブロック図で使用されたデスプレッディング／再スプレッディングの代用となる本発明による下位デスプレッディング／下位再スプレッディング回路の略ブロック図を示す図である。
【図１】
0004459319.tif 000002
【図２】
0004459319.tif 000003
【図３】
0004459319.tif 000004
【図４】
0004459319.tif 000005
【図５】
0004459319.tif 000006
【図６】
0004459319.tif 000007
【図７】
0004459319.tif 000008
【図８】
0004459319.tif 000009
【図９】
0004459319.tif 000010
【図１０】
0004459319.tif 000011
【図１１】
0004459319.tif 000012